(57)【特許請求の範囲】
【請求項１】
電線の端部を係止しうるボディと、このボディに取り付けられて電線引出部位を覆うカバーとを備えた端子台において、前記カバーの全部または一部が、線状体を並べた植毛部とその保持部とからなるブラシ状のものであり、前記植毛部が、前記電線引出部位に配されており、前記保持部が前記電線引出部位を挟んで対向配置されており且つ前記電線引出部位を三方以上から囲んでいることを特徴とする端子台。
【発明の詳細な説明】
【技術分野】
【０００１】
この発明は、電線の端を繋ぎ込むための端子台に関し、詳しくは、電線係止用のボディに加えて、電線引出部位を覆うカバーも、備えている端子台に関する。
【背景技術】
【０００２】
端子台は、係止座に例えば雌ネジの形成されたボディを具えたものであり、電線端部の絶縁被覆を剥いで、そのまま又は圧着端子等で端末処理をしてから、その電線の端部をボディの係止座に小ネジやクランパ等の係止具で繋ぎ込むようになっている。また、不所望な短絡を招くおそれのある金属片の落下付着を防止する等ため、カバーをボディに取り付けるようになっているものも多い。図７は、そのような従来の端子台を示しており、（ａ），（ｂ）がＬ形カバー付きの端子台について、（ａ）が展開斜視図、（ｂ）が縦断側面図である。また、（ｃ），（ｄ）はカバーで覆った方へ電線を引き出した端子台について、（ｃ）が縦断側面図、（ｄ）が展開斜視図である。さらに、（ｅ）がカバーの要らない端子台の側面図である。
【０００３】
従来の端子台の典型例として（図７（ａ），（ｂ）参照）、Ｌ形カバー付きの端子台７０を挙げると（例えば特許文献１も参照）、そのボディ７１の中央部には係止座７２が例えば二つ列設され、ボディ７１の両端にはそれぞれ取付座７４が形成され、Ｌ形カバー７６には取付座７４の対応部位に取付穴７７が形成されている。このような端子台７０は、例えば端子盤への応用では、ボディ７１を横向きにした状態で固定具８１にて端子盤８０に固定され、電線９０を下方へ引き出す場合、電線９０を係止具７３にて係止座７２に係止させた後、Ｌ形カバー７６を取付具７５にて取付座７４に取り付けることで、電線９０の端部が、下方の電線引出部位Ａは別として、上面も側面も覆われる。
【０００４】
このようなＬ形カバー付きの端子台７０で電線９０を上方へ引き出す場合（図７（ｃ），（ｄ）参照）、Ｌ形カバー７６のうち電線引出部位Ａと重なる部分に切欠７８が形成される（例えば特許文献２も参照）。切欠７８を通して電線９０を引き出すことで、上面の覆いも側面の覆いも維持される。
さらに、機器ケースの端子台設置面より内側に端子台を位置せしめることによりカバーを不要にした端子台も知られている（例えば特許文献３を参照）。この端子台は、上述した端子台７０と異なり、係止座７２や係止具７３を斜めに設置するとともに（図７（ｅ）参照）、機器ケースに端子台設置孔を開けておき、斜めにドライバを入れて電線端の接続を行うようになっている。
【０００５】
【特許文献１】特開２００２−３０５８１０号公報（第１頁）
【特許文献２】特開平１１−２２４５８６号公報  （第１頁）
【特許文献３】特開２００３−１７１５２号公報  （第１頁）
【発明の開示】
【発明が解決しようとする課題】
【０００６】
しかしながら、このような従来の端子台では、電線引出部位Ａを覆う必要が無い場合には（図７（ａ），（ｂ）参照）、Ｌ形カバー７６のような簡素な構造のカバーをそのまま用いることができるが、電線引出部位Ａを覆う必要が有る場合には（図７（ｃ），（ｄ）参照）、電線引出部位Ａ対応部分に切欠７８を形成することが求められる。
この切欠は、製造時に形成するには予め電線の径を決めておかなければならないので柔軟性に欠け、製造時でなく後の電線接続時に形成するには手作業等により現場合わせで加工・調整・仕上げ等を行わなければならないので作業性に欠けるところがある。
【０００７】
また、機器ケースの内側に端子台を位置させるのは（図７（ｅ）参照）構造が複雑になるうえ適用範囲・利用範囲がケース改造可能な場合に限られる。
そこで、ボディの係止座への落下物等の進入の防止にカバーを採用することにより適用範囲・利用範囲を広く維持するとともに、柔軟性や作業性を向上させるべく、カバーに切欠を形成しなくても電線引出部位をカバーで覆えるよう、カバーの構造に工夫を凝らすことが技術課題となる。
【課題を解決するための手段】
【０００８】
本発明の端子台は（解決手段１）、このような課題を解決するために創案されたものであり、電線の端部を係止しうるボディと、このボディに取り付けられて電線引出部位を覆うカバーとを備えた端子台において、前記カバーの全部または一部が、線状体を並べた植毛部とその保持部とからなるブラシ状のものであり、前記植毛部が、前記電線引出部位に配されている、ことを特徴とする。
【０００９】
また、本発明の端子台は（解決手段２）、上記解決手段１の端子台であって、前記保持部が前記電線引出部位を挟んで対向配置されていることを特徴とする。すなわち、電線引出部位へ両側から植毛部が延びてきていることを特徴とする。
さらに、本発明の端子台は（解決手段３）、上記解決手段２の端子台であって、前記保持部が前記電線引出部位を三方以上から囲んでいることを特徴とする。すなわち、電線引出部位へ三方以上の各方向から植毛部が延びてきていることを特徴とする。
【発明の効果】
【００１０】
このような本発明の端子台にあっては（解決手段１）、カバーが少なくとも部分的にはブラシ状になっており、そのカバーのブラシ状部分の植毛部が電線引出部位に配されているので、カバーがボディに取り付けられているとき、ボディに端部を係止された電線は、植毛部に並んだ多数の線状体の間から引き出された状態になる。
ブラシ状部分の線状体は電線に押されるとそれに応じて自在に変形するので、電線径の大小に依らず、電線を繋ぎ込むことができ、而も電線引出部位の覆いが維持される。
したがって、この発明によれば、カバーに切欠を形成しなくても電線引出部位をカバーで覆える端子台を実現することができる。
【００１１】
一方向のみのブラシ状部分に電線を通したとき植毛部の開き変形が保持部側は狭いが線状体先端側は広くなってしまうところ、本発明の端子台にあっては（解決手段２）、電線の両側から植毛部が延びているので、電線の両側で植毛部の開きが狭くなる。そのため、植毛部の開き変形を利用したブラシ状カバーであっても、電線の周囲を余り開けないで覆うことができる。
したがって、この発明によれば、カバーに切欠を形成しなくても電線引出部位をカバーで割と密に覆える端子台を実現することができる。
【００１２】
さらに、本発明の端子台にあっては（解決手段３）、電線へ向かう線状体の向きが多方向に分散させられるので、電線の周囲における植毛部の開き変形も分散して、大きな開きがなくなる。そのため、植毛部の開き変形を利用したブラシ状カバーであっても、電線の周囲を殆ど開けないで覆うことができる。
したがって、この発明によれば、カバーに切欠を形成しなくても電線引出部位をカバーで可成り密に覆える端子台を実現することができる。
【発明を実施するための最良の形態】
【００１３】
このような本発明の端子台について、これを実施するための具体的な形態を、以下の実施例１〜６により説明する。
図１に示した実施例１は、上述した解決手段１（出願当初の請求項１）を具現化したものであり、図２に示した実施例２は、その変形例である。また、図３に示した実施例３は、上述した解決手段２（出願当初の請求項２）を具現化したものであり、図４に示した実施例４は、その変形例である。さらに、図５に示した実施例５は、上述した解決手段３（出願当初の請求項３）を具現化したものであり、図６に示した実施例６は、その変形例である。
なお、それらの図示に際し従来と同様の構成要素には同一の符号を付して示したので、重複する再度の説明は割愛し、以下、従来との相違点を中心に説明する。
【実施例１】
【００１４】
本発明の端子台の実施例１について、その具体的な構成を、図面を引用して説明する。図１は、（ａ）がブラシ状カバー１１の展開斜視図、（ｂ）が組み上がったブラシ状カバー１１を含む端子台１０と電線９０との展開斜視図である。
この図１の端子台１０が既述した図７の従来端子台７０と相違するのは、Ｌ形カバー７６に代えてブラシ状カバー１１（蓋部）が導入された点である。ボディ７１（本体部，基台部）は同じで良い。
【００１５】
このブラシ状カバー１１は（図１（ａ），（ｂ）参照）、線状体１２が並んでいる植毛部１３と、その保持部１４が一辺部に形成されるとともに既述の取付穴７７相当の取付孔１５も形成された板部１６とを具えたものであり、植毛部１３が保持部１４に植設状態で組み合わされて、その部分がブラシ状になっている。板部１６は、ボディ７１同様、電気絶縁性のプラスチック例えばフェノール樹脂やポリカーボネート樹脂から射出成形等で量産され、線状体１２は、或る程度の弾力性を持った柔軟な電気絶縁性プラスチック例えばポリイミド樹脂の糸状体から、電線引出部位Ａを覆うのに足りる長さに切断して、作られる。保持部１４への植毛部１３の植設は、接着剤で行っても良く、加熱融着にて行っても良い。線状体１２と保持部１４とが同じ材質で良いときには、ブラシ状カバー１１を一体成型しても良い。線状体１２の並びは、電線引出部位Ａを覆えれば、一列でも複列でもマトリクス状でも千鳥足状でも良い。線状体１２の植え方は一本ずつでも束でも良い。
【００１６】
この実施例１の端子台１０について、その使用態様等を、図面を引用して説明する。図１は、（ｂ）が端子台１０と電線９０との展開斜視図、（ｃ）が端子台１０と電線９０との組立斜視図、（ｄ）がその縦断側面図である。
【００１７】
端子台１０のボディ７１が従来と同じなので、それに繋ぎ込む電線９０にも従来と同じ端末処理が施される。また、ボディ７１は、応用目的に応じて例えば横向きにした状態で、固定具８１にて端子盤８０に固定される。このボディ７１に対し、電線９０の端部が係止具７３にて係止座７２に係止させられる。それから、ブラシ状カバー１１が取付具７５にて取付座７４に取り付けられるが、その際、植毛部１３が電線引出部位Ａに配されることから、電線引出部位Ａが上方であろうと他の方向であろうと、そこは電線９０が植毛部１３の線状体１２を掻き分けて出た状態になるので、電線引出部位Ａはブラシ状カバー１１のブラシ状部分で覆われる。
【００１８】
こうして、電線９０が太かろうと細かろうとボディ７１への繋ぎ込みさえできれば不都合なく、また係止座７２へのブラシ状カバー１１を切り欠くこともなく、ブラシ状カバー１１で電線引出部位Ａを覆うことができる。その状態で、例えば金属片などの導電体が植毛部１３のところに落下した場合、導電体が微小であれば植毛部１３を擦り抜けて係止座７２に入り込むこともあるが、そのような微小片では端子間の短絡は引き起こされないので不都合はなく、それより大きな導電体は植毛部１３によって係止座７２への進入を阻止されるので、それによる短絡といった不都合が回避される。さらに大きくて植毛部１３を完全に押し曲げるような導電体は、ボディ７１の上辺部や仕切部さらにはブラシ状カバー１１の保持部１４などに当たって、係止座７２への進入を阻止される。
【実施例２】
【００１９】
本発明の端子台の実施例２について、その具体的な構成を、図面を引用して説明する。図２は、（ａ）が長尺材２０の斜視図、（ｂ）が短尺材２１の斜視図、（ｃ）がブラシ状カバー２２の斜視図である。
この端子台が上述した実施例１の端子台１０と相違するのは、一部だけがブラシ状のカバー１１に代えて全部がブラシ状のカバー２２（蓋部）が導入された点である。
【００２０】
ブラシ状カバー２２は、長い保持部１４の長辺に植毛部１３を付けた長尺材２０から（図２（ａ）参照）、ボディ７１に適合した長さの短尺材２１を切り出し（図２（ｂ）参照）、それに取付孔２３を穿孔形成することで（図２（ｃ）参照）、色々な長さの端子台に対して現場合わせでも容易に調達することができる。このブラシ状カバー２２はボディ７１の各面のうち電線引出部位Ａの面だけを覆うようになっている。
【実施例３】
【００２１】
本発明の端子台の実施例３について、その具体的な構成を、図面を引用して説明する。図３は、（ａ）が端子台３０と電線９０との斜視図、（ｂ）がその展開斜視図である。
この端子台３０は、上述した実施例１の端子台１０に実施例２のブラシ状カバー２２を付加したものであり、上述したボディ７１とブラシ状カバー１１とブラシ状カバー２２とを具えている。
【００２２】
電線９０の端部をボディ７１に係止するのや，ブラシ状カバー１１をボディ７１に取り付けるときブラシ状カバー１１の植毛部１３が電線引出部位Ａに来るようにするのは、端子台１０について上述したのと同じであるが、端子台３０では更にボディ７１へのブラシ状カバー２２の取り付けもなされるようになっている。ブラシ状カバー２２をボディ７１に取り付けるとき、ブラシ状カバー２２の植毛部１３はやはり電線引出部位Ａに来るようにするが、ブラシ状カバー２２の保持部１４は電線引出部位Ａを挟んでブラシ状カバー１１の保持部１４と対向するところに取り付けられ、電線引出部位Ａがブラシ状カバー１１の植毛部１３とブラシ状カバー２２の植毛部１３とでほぼ二重に覆われるようになっている。
【００２３】
この場合も、植毛部１３が電線引出部位Ａに配されることから、電線引出部位Ａが上方であろうと他の方向であろうと、そこは電線９０が植毛部１３の線状体１２を掻き分けて出た状態になるので、電線引出部位Ａはブラシ状カバー１１，２２のブラシ状部分で覆われる。そのため、電線９０が太かろうと細かろうとボディ７１への繋ぎ込みさえできれば不都合なく、また係止座７２へのブラシ状カバー１１を切り欠くこともなく、ブラシ状カバー１１，２２で電線引出部位Ａを覆うことができる。しかも、この場合は、電線９０の両側から電線９０に向かって植毛部１３が延びているので、電線９０の両側で即ちブラシ状カバー１１側でもブラシ状カバー２２側でも植毛部１３の開きが狭くなる。そのため、植毛部１３の開き変形を利用したブラシ状カバー１１，２２であっても、電線９０の周囲を余り開けないで覆うことができる。
【実施例４】
【００２４】
本発明の端子台の実施例４について、その具体的な構成を、図面を引用して説明する。図４は、（ａ）がブラシ状カバー４０の平面図、（ｂ）がそこから電線９０を引き出したところである。
この端子台が上述した実施例１〜３のものと相違するのは、保持部１４が電線引出部位Ａを挟んで対向配置されているという状態がブラシ状カバー４０だけで具現化されている点である。
【００２５】
このブラシ状カバー４０では、保持部１４が電線９０毎の電線引出部位Ａの両側に延びていて、電線引出部位Ａの両側に位置する対向２辺それぞれに線状体１２が並んで植設されており、電線９０を繋ぎ込んだ状態で電線９０の両側から電線９０に向かって植毛部１３が延びて来るようになっている。図示の例では、電線引出部位Ａにおいて両側の線状体１２の先端が少しだけ重なるようになっている。
この場合、ブラシ状カバー４０をボディに取り付けるだけで、電線引出部位Ａを両側から植毛部１３で覆うことができる。
【実施例５】
【００２６】
本発明の端子台の実施例５について、その具体的な構成を、図面を引用して説明する。図５は、（ａ）がブラシ状カバー５０の平面図、（ｂ）がそこから電線９０を引き出したところである。
この端子台が上述した実施例４のものと相違するのは、保持部１４が電線引出部位Ａを挟んで対向配置されているブラシ状カバー４０に代えて、保持部１４が電線引出部位Ａを三方から囲んでいるブラシ状カバー５０が導入された点である。
【００２７】
このブラシ状カバー５０では、保持部１４が電線９０毎の電線引出部位Ａの両側に延びていて、電線引出部位Ａの両側に位置する対向２辺それぞれの先端側ほぼ半分に線状体１２が並んで植設されるとともに、その対向２辺を繋ぐ１辺にも線状体１２が並んで植設されており、電線９０を繋ぎ込んだ状態で電線９０の三方から電線９０に向かって植毛部１３が延びて来るようになっている。図示の例では、電線引出部位Ａにおいて三方の線状体１２が重ならないか重なってもほんの僅かしか重ならないようになっている。
【００２８】
この場合も、ブラシ状カバー５０をボディに取り付けるだけで、電線引出部位Ａを三方から植毛部１３で覆うことができる。
この場合、電線９０へ向かう線状体１２の向きが二方向より多い三方向に分散させられるので、電線９０の周囲における植毛部１３の開き変形も分散して、大きな開きがなくなる。そのため、植毛部１３の開き変形を利用したブラシ状カバー５０であっても、電線９０の周囲を殆ど開けないで覆うことができる。
【実施例６】
【００２９】
本発明の端子台の実施例６について、その具体的な構成を、図面を引用して説明する。図６は、（ａ）がブラシ状カバー６０の平面図、（ｂ）がそこから電線９０を引き出したところである。
この端子台が上述した実施例５のものと相違するのは、保持部１４が電線引出部位Ａを三方から囲んでいるブラシ状カバー５０に代えて、保持部１４が電線引出部位Ａを多方から囲んでいるブラシ状カバー６０が導入された点である。
【００３０】
このブラシ状カバー６０でも保持部１４が電線９０毎の電線引出部位Ａの両側に延びているが、このブラシ状カバー６０では、電線引出部位Ａの両側に位置する対向２辺を繋ぐ部分が直線状の１辺でなく円弧状・半円状の辺縁になっている。そして、それら対向２辺と半円状辺縁とに線状体１２が並んで植設されており、半円状辺縁のところでは線状体１２が放射状に並んでいて、電線９０を繋ぎ込んだ状態で電線９０の周囲から電線９０に向かって植毛部１３が延びて来るようになっている。
この場合も、ブラシ状カバー６０をボディに取り付けるだけで、電線引出部位Ａが多方から植毛部１３で覆われるので、電線９０の周囲を密に覆うことができる。
【００３１】
［その他］
電線引出部位Ａを植毛部１３で三方から覆うには、ブラシ状カバー１１，２２とブラシ状カバー４０とを組み合わせることでも可能である。また、電線引出部位Ａを植毛部１３で四方から覆うには、ブラシ状カバー１１，２２とブラシ状カバー５０，６０とを組み合わせることでも可能であり、ブラシ状カバー５０，６０を対向配置することでも可能である。
ボディ７１の係止座７２に係る係止方式は、図示したネジ止め方式に限られる訳でなく、ネジ止め不要な手動クランプ方式や、バネの弾撥力を利用した自動クランプ方式でも良い。係止座７２の列設数も任意である。
【図面の簡単な説明】
【００３２】
【図１】本発明の実施例１について、端子台の構造を示し、（ａ）がブラシ状カバーの展開斜視図、（ｂ）が端子台と電線との展開斜視図、（ｃ）が端子台と電線との組立斜視図、（ｄ）がその縦断側面図である。
【図２】本発明の実施例２について、端子台の構造を示し、（ａ）が長尺材の斜視図、（ｂ）が短尺材の斜視図、（ｃ）がブラシ状カバーの斜視図である。
【図３】本発明の実施例３について、端子台の構造を示し、（ａ）が端子台と電線との斜視図、（ｂ）がその展開斜視図である。
【図４】本発明の実施例４について、端子台の構造を示し、（ａ）がブラシ状カバーの平面図、（ｂ）がそこから電線を引き出したところである。
【図５】本発明の実施例５について、端子台の構造を示し、（ａ）がブラシ状カバーの平面図、（ｂ）がそこから電線を引き出したところである。
【図６】本発明の実施例６について、端子台の構造を示し、（ａ）がブラシ状カバーの平面図、（ｂ）がそこから電線を引き出したところである。
【図７】従来の端子台について、（ａ）が展開斜視図、（ｂ）が縦断側面図、（ｃ）が縦断側面図、（ｄ）が展開斜視図、（ｅ）が側面図である。
【符号の説明】
【００３３】
１０…端子台、１１…ブラシ状カバー（蓋部）、１２…線状体、
１３…植毛部、１４…保持部、１５…取付孔、１６…板部
２０…長尺材、２１…短尺材、２２…ブラシ状カバー、２３…取付孔、
３０…端子台、４０，５０，６０…ブラシ状カバー、
７０…端子台、７１…ボディ（本体部，基台部）、７２…係止座、
７３…係止具（ネジ，クランパ）、７４…取付座、７５…取付具、
７６…Ｌ形カバー（蓋部）、７７…取付穴、７８…切欠、
８０…端子盤、８１…固定具、９０…電線、Ａ…電線引出部位
【図１】
0004662470.tif 000002
【図２】
0004662470.tif 000003
【図３】
0004662470.tif 000004
【図４】
0004662470.tif 000005
【図５】
0004662470.tif 000006
【図６】
0004662470.tif 000007
【図７】
0004662470.tif 000008